(57)【要約】【課題】ペット用胴輪において、ペットに対する装着が容易で、躾効果が高く、ペットに傷等を負わせるおそれがなく、更に長さ調節も良好となるといった、種々の効果が得られるようにする。【解決手段】ペット用胴輪１で、丸紐２の長さ調節などに用いる紐通しパーツ３として、相互近接配置されることで丸紐２を続けて差し通し可能にした２個の紐止め孔５と、これら両紐止め孔５を出たそれぞれの丸紐２を各別個に移動自在な状態のまま挿通可能にする２個の紐通孔６とが設けられているものを用いる。【選択図】      図１
2004254537.tif 000002
【特許請求の範囲】
【請求項１】
丸紐（２）を続けて差し通し可能にすべく相互近接配置された２個の紐止め孔（５）と、これら両紐止め孔（５）を抜けて同一方向へ出るそれぞれの丸紐（２）に別ループ（１０，１３）を描かせた状態で各別に移動自在なまま挿通可能にする２個の紐通孔（６）とが同一面に並んで設けられていることを特徴とする紐通しパーツ。
【請求項２】
丸紐（２）を続けて差し通し可能にすべく配置された２個の紐止め孔（５）と、これら両紐止め孔（５）を抜けて同一方向へ出るそれぞれの丸紐（２）に別ループ（１０，１３）を描かせた状態で各別に移動自在なまま挿通可能にする２個の紐通孔（６）とが設けられ、当該各紐通孔（６）は前記両紐止め孔（５）の相互間に渡って通される丸紐（２）の中途部を挟んだ両側に位置すべく振り分け配置されていることを特徴とする紐通しパーツ。
【請求項３】
外形的にアール面取りを基調として鋭角部が生じない形状とされていると共に、各孔（５，６）の開口端が並んだ片側面がペットの体型に沿わせた凹面カーブに形成されていることを特徴とする請求項１記載又は請求項２記載の紐通しパーツ。
【請求項４】
前記２個の紐止め孔（５）の相互間に、これらを渡って通される丸紐（２）の中途部をインロー状態に収める紐溝（７）が設けられており、この紐溝（７）を中央に挟んだ両側に前記紐通孔（６）が振り分け配置されていることを特徴とする請求項１乃至請求項３のいずれかに記載の紐通しパーツ。
【請求項５】
前記２個の紐止め孔（５）の相互間に、これらを渡って通される丸紐（２）の中途部を覆う紐カバー（３０）が設けられていることを特徴とする請請求項１乃至請求項４のいずれかに記載の紐通しパーツ。
【請求項６】
請求項１乃至請求項５のいずれかに記載した紐通しパーツ（３）と、この紐通しパーツ（３）における２個の紐止め孔（５）及び２個の紐通孔（６）に所定通り通される丸紐（２）と、紐通しパーツ（３）において２個の紐通孔（６）をそれぞれ抜け出た２本の丸紐（２）を互いに寄り添わせた状態にしつつ絞り込みを与えて挿通させるストッパパーツ（４）とを有し、
紐通しパーツ（３）において一方の紐止め孔（５Ｂ）から出て一方の紐通孔（６Ｂ）へ差し込まれる間にできる丸紐（２）のループ（１３）により胴輪部が形成され、紐通しパーツ（３）において他方の紐止め孔（５Ａ）から出て他方の紐通孔（６Ａ）へ差し込まれる間にできる丸紐（２）のループ（１０）により首輪部が形成されることを特徴とする紐通しパーツを用いたペット用胴輪。
【発明の詳細な説明】
【０００１】
【発明の属する技術分野】
本発明は、紐通しパーツ及びこれを用いたペット用胴輪に関するものである。
【０００２】
【従来の技術】
犬や猫に代表されるペットに対し、その行動範囲を制限するためにリード（引き綱）を繋ぐには、ペットに胴輪を装着することになる。
なお、この種の胴輪は、ペットの胴体に巻き付ける部分を主体とするものであるが、最近ではこの部分だけでなく、首に巻き付ける部分をも一体的に備えているのが普通である。そこで以下では、その全体を「胴輪」と呼び、その構成の中に、胴体に巻き付ける「胴輪部」と首に巻き付ける「首輪部」とを有しているものとして説明する。
【０００３】
従来、多くの胴輪は、細帯状のベルトや平紐を用いて形成されているのが一般的である（例えば、特許文献１乃至特許文献３等参照）。
中には、ペットに対する接触面圧を低くできるように胸や腹に当たる部分を幅広な布切れ状に形成したものもあった（例えば、特許文献４等参照。なお、この特許文献４に記載の胴輪は「首輪部」を有していない「胴輪部」だけのタイプである）が、この場合でも、この胴輪をリードと繋ぐ部分では細帯状のベルトを用いてあった。
【０００４】
一方、この種の胴輪として、丸紐を用いたものも一部には見受けられた（特許文献５等参照）。
これら各種の胴輪では、胴輪部に関して、ペットの胴回り寸法に合わせて予めベルト自体で長さ調節をし、その胴輪内径を固定するタイプ（特許文献１、２及び５）と、ベルト部分とリードとの接続部分でベルト側に長さ方向のルーズ性を持たせて、胴輪内径をある程度変動できるようにしたタイプ（特許文献３や４）とに大別される。
【０００５】
【特許文献１】
特開２０００−２６２１７８号公報
【特許文献２】
特開平５−１２３０７３号公報
【特許文献３】
特開２００２−３６０１０２号公報
【特許文献４】
特開２００２−３３０６５９号公報
【特許文献５】
特開平１０−２２９７７４号公報
【０００６】
【発明が解決しようとする課題】
上記したように、従来の殆どの胴輪は細帯状のベルトや平紐を用いて形成されていたが、そのため、装着時に表裏間にねじれが生じやすく装着が面倒であるということがあった。
また、このような細帯状のベルトや平紐は、そもそも、ペットに対する接触面圧が低いものであるから、ペットにほどよい痛みを味わわせて行動を抑制させるという躾のための効果を得ることが期待できなかった。
【０００７】
更に、細帯状のベルトや平紐では、ペットが動くたびにその胴回りで擦れが生じるようになってしまい、毛切れのおそれがあった。
一方、丸紐を用いた胴輪では、丸紐自体の特質から、紐外面における単位長さあたりの表面積が小さく、それ故、長さ調節のために丸紐の長手方向中途部にストッパ器具などを取り付けても、細帯状のベルトや平紐に比べて滑りやすいという問題があり、胴輪内径を固定するタイプの胴輪において丸紐を採用するのは不適当と言わなければならなかった。
【０００８】
本発明は、上記事情に鑑みてなされたものであって、ペットに対する装着が容易で、躾効果が高く、ペットに傷等を負わせるおそれがなく、更に長さ調節も良好となるといった、種々の効果を得ることができる紐通しパーツ及びこれを用いたペット用胴輪を提供することを目的とする。
【０００９】
【課題を解決するための手段】
前記目的を達成するために、本発明は次の手段を講じた。
本発明に係るペット用胴輪１は、特有の構成を具備した紐通しパーツ３（以下に、本発明に係る「紐通しパーツ」として説明する）を有するものである。
また本発明に係るペット用胴輪１は、この紐通しパーツ３において２個の紐止め孔５（５Ａ，５Ｂ）及び２個の紐通孔６（６Ａ，６Ｂ）に所定通り通される丸紐２と、紐通しパーツ３において２個の紐通孔６（６Ａ，６Ｂ）をそれぞれ抜け出た２本の丸紐２を互いに寄り添わせた状態にしつつ絞り込みを与えて挿通させるストッパパーツ４とを有している。
【００１０】
そして、紐通しパーツ３において一方の紐止め孔５（５Ｂ）から出て一方の紐通孔６（６Ｂ）へ差し込まれる間にできる丸紐２のループ１３により胴輪部が形成され、紐通しパーツ３において他方の紐止め孔５（５Ａ）から出て他方の紐通孔６（６Ａ）へ差し込まれる間にできる丸紐２のループ１０により首輪部が形成されているというものである。
本発明に係る紐通しパーツ３は、丸紐２を続けて差し通し可能にすべく相互近接配置された２個の紐止め孔５（５Ａ，５Ｂ）と、これら両紐止め孔５（５Ａ，５Ｂ）を抜けて同一方向へ出るそれぞれの丸紐２に別のループ１０，１３を描かせた状態で各別に移動自在なまま挿通可能にする２個の紐通孔６（６Ａ，６Ｂ）とが同一面に並んで設けられている。
【００１１】
また、丸紐（２）を続けて差し通し可能にすべく配置された２個の紐止め孔（５）と、これら両紐止め孔（５）を抜けて同一方向へ出るそれぞれの丸紐（２）に別ループ（１０，１３）を描かせた状態で各別に移動自在なまま挿通可能にする２個の紐通孔（６）とが設けられ、当該各紐通孔（６）は前記両紐止め孔（５）の相互間に渡って通される丸紐（２）の中途部を挟んだ両側に位置すべく振り分け配置される。
このように、この紐通しパーツ３は、丸紐２を対象としたものである。
【００１２】
丸紐２は、２個の紐止め孔５（５Ａ，５Ｂ）へ続けて差し通されることによりＵターン状に折れ曲がり、各紐止め孔５の孔内周面や開口縁部を介してこの紐通しパーツ３との接触が増えることになる。そのため、この紐通しパーツ３に対して丸紐２は位置ズレしない状態に保持される。なお、紐止め孔５の孔径を丸紐２の太さより小さくすることで紐通しパーツ３と丸紐２が位置ズレを防止するようにしてもよい。
一方、丸紐２は、２個の紐通孔６（６Ａ，６Ｂ）に対してはそれぞれ、紐止め孔５を抜け出た後に挿通されることになっており、しかも、これら紐通孔６は丸紐２を移動自在な状態（孔径）で形成されている。
【００１３】
このようなことから、この紐通しパーツ３に対して丸紐２を所定に通していくと、紐止め孔５を通された部分では丸紐２の移動が抑制乃至は規制され、紐通孔６を通された部分で移動自在であるということになり、結果、紐止め孔５から紐通孔６へとわたる部分で形成される丸紐２による各ループ（第１のループ１０及び第２のループ１３）が、紐止め孔５側を基準として拡径したり縮径したりすることになる。
従って、この紐通しパーツ３をペット用胴輪１として使用すれば、丸紐２を使用できることに伴ってペットに対する装着が容易で、躾効果が高く、ペットに傷等を負わせるおそれがないといった、種々の効果を得ることができる。
【００１４】
しかも、胴輪部（第２のループ１３）や首輪部（第１のループ１０）での長さ調節も良好になる。
このような構成の紐通しパーツ３は、外形的にアール面取りを基調として鋭角部が生じない形状とするのが好適である。これにより、ペットへの装着に適した形状となる。
殊に、紐通孔６や紐止め孔５の開口端が並んだ片側面は、ペットの体型に沿わせるように凹面カーブさせておくのが好適となる。これにより、この紐通しパーツ３自体も、また丸紐２についても、ペットへのなじみがよくなる効果がある。
【００１５】
なお、２個の紐止め孔５の相互間に、これらを渡って通される丸紐２の中途部をインロー状態に収める紐溝７を設けておき、この紐溝７を中央に挟んだ両側に紐通孔６が振り分けられる配置とさせると、紐溝７内での丸紐２の接触により各紐止め孔５内での丸紐２の移動を略確実に防止でき、この紐通しパーツ３に対する丸紐２の位置ズレ防止効果も一層高くなる。また、この紐溝７内に収まった丸紐２と、紐通孔６へ通された丸紐２との接触干渉を防止でき、丸紐２の擦過に伴う損傷も防止できる利点がある。
【００１６】
また、２個の紐止め孔５の相互間に、これらを渡って通される丸紐２の中途部を覆う紐カバー３０を設けておき、この紐カバー３０を中央に挟んだ両側に紐通孔６が振り分けられる配置とさせると、この紐カバー内で丸紐２が隠され、外観性が良好になる利点がある。勿論、この紐カバー３０内で隠される丸紐２と、紐通孔６へ通された丸紐２との接触干渉を防止でき、丸紐２の擦過に伴う損傷が防止できるという利点もある。
【００１７】
【発明の実施の形態】
以下、本発明の実施の形態を、図面に基づき説明する。
図１乃至図６は、本発明に係るペット用胴輪１の一実施形態を示している。
この胴輪１は、丸紐２を用いて形成されている。またこの胴輪１は、紐通しパーツ３を有している。
丸紐２は、繊維質や樹脂質等であって断面が略円形状に形成された紐である。図例においてこの丸紐２は、全体が１本に繋がったものとされている。
【００１８】
更にこの胴輪１は、ストッパパーツ４を有したものとなっている。
紐通しパーツ３は、一辺が２０〜４０ｍｍ前後の扁平な小片であって、樹脂、金属、木などによって形成されている。
この紐通しパーツ３は、外形的にアール面取りを基調にした形状とされており、鋭角部が生じないようになっている。
図２から明らかなように、図例では平面形状が長丸に近い形状とされており、また図３から明らかなように、表裏両側（肉厚方向の両側）の外周縁部にも面取りアールが施されたものとしてある。そのため、ペットへの装着時にペットに対して優しくフィットし、またこれに触れる者に対しても手触り感が良好となる。
【００１９】
この紐通しパーツ３には、その表裏面間を貫通するようにして、２個の紐止め孔５（５Ａ，５Ｂ）と２個の紐通孔６（６Ａ，６Ｂ）とが設けられている。
また２個の紐止め孔５の相互間となる部分には、紐溝７が設けられるのが好ましい。例えば図３に示すように、この紐溝７には、丸紐２をインロー状態（半没乃至全没）に収めることができるようになっている。
２個の紐通孔６は、紐溝７を中央に挟んだ状態でその両側に振り分けられる配置となっている。すなわち、紐溝７の溝中心（２個の紐止め孔５同士を結んだ配置軸心Ｘに相当）に対し、２個の紐通孔６同士を結んだ配置軸心Ｙは、丁度、この紐通しパーツ３の平面中央で交差するようになっている。
【００２０】
紐止め孔５の大きさ（孔径）は、丸紐２の太さと略同径かやや大きめとなる孔径であれば丸紐２の挿通移動が容易であり、やや小さくすると丸紐２の移動規制が可能である。紐止め孔５はその機能を考慮すればやや小さくする方が好適であろう。また紐通孔６の大きさ（孔径）も、丸紐２の太さと略同径かやや大きめとなる孔径であれば丸紐２の挿通移動が容易であり、やや小さくすると丸紐２の移動規制が可能である。紐通孔６の場合は、その機能を考慮すればやや大きくする方が好適であろう。
【００２１】
このような構成の紐通しパーツ３に対し、丸紐２を通し、またストッパパーツ４を組み付けて胴輪１を形成するには、次のようにする。
まず、この紐通しパーツ３において紐溝７が設けられた面とは逆向きの面（図１の下方側）から一方の紐止め孔５（５Ａ）へ丸紐２を通し、続けてこの丸紐２を他方の紐止め孔５（５Ｂ）へ通し、これら両紐止め孔５の相互間部分となる丸紐２を紐溝７へ収めた状態にする。
このとき、紐通しパーツ３において紐溝７が設けられた面とは逆向きの面において、各紐止め孔５（５Ａ，５Ｂ）からは所定長さずつ丸紐２が延び出るように、丸紐２の通し位置を調整しておく。
【００２２】
そして、一方の紐止め孔５（５Ａ）から出ている丸紐２に所定の弛みを持たせながら一方の紐通孔６（６Ａ）へ差し込み、これら両孔５Ａ，６Ａの間に第１のループ１０を形成させる。
次に、この紐通孔６（６Ａ）を通り抜けた丸紐２へストッパパーツ４とリード接続用リング１１とを通し、この丸紐２をその先端側からもう一度、ストッパパーツ４へ通す。
なお、このストッパパーツ４は、丸紐２の太さの２倍よりやや小さな孔径を有した貫通孔１２が設けられたものである。図例では球形をしてその直径方向へ貫通孔１２が設けられたものとしてあるが、丸紐２に絞り込みを与えられるものならば、その形状や材質などは全く限定されない。貫通孔１２の開口形状も、長丸状、長方形状、円状など、どのようなものであってもよい。
【００２３】
またリング１１についても、その形状や材質はもとより、その有無自体、限定されるものではない。
上記の説明から明らかなように、丸紐２は、リング１１の挿通位置を境として二つ折り状態とされ、その前後でストッパパーツ４を２回通されることになり、結果としてこのストッパパーツ４の貫通孔１２内では２本の丸紐２が互いに寄り添った状態になっている。
この状態で、ストッパパーツ４は寄り添い状態にある２本の丸紐２に沿って、それらの寄り添い状態を絞りながら（互いに圧接させながら）移動可能になっている。
【００２４】
ストッパパーツ４を通された後の丸紐２は、次に、紐通しパーツ３における他方の紐通孔６（６Ｂ）へ通される。
上記したように、この紐通しパーツ３では、紐溝７が設けられた面とは逆向きの面において、第１のループ１０が既に形成された状態にあるが、残る紐止め孔５（５Ｂ）と紐通孔６（６Ｂ）とからそれぞれ出ている丸紐２を互いに連結することで、ここに第２のループ１３を形成させることができる。
そこで、このように丸紐２によって形成される第１、及び第２のループ１０，１３のうち、一方を胴輪部として使用し、同、他方を首輪部として使用すればよいものである。
【００２５】
なお、上記第２のループ１３を形成させるために、図例では、連結と離反を簡単に繰り返すことができるバックル器具１５を採用している。
図４は、バックル器具の一例を示し、このバックル器具１５は、雄部材１６と雌部材１７とを有したものである。雄部材１６には弾性変形によって拡縮する矢印型をした２本の爪１８が設けられ、雌部材１７には雄部材１６の両爪１８を幅寄せしつつ嵌め込み可能とする爪口１９とこの爪口１９内へ両爪１８が嵌め込まれたときにそれらの拡開を許容する横口２０とが設けられている。
【００２６】
従って、このバックル器具１５は、雄部材１６と雌部材１７とを連結させることで、雌部材１７における両側の横口２０に雄部材１６における各爪１８の背部が係合して露出し、互いに離反しない状態となるが、この状態から両方の爪１８を互いに幅寄せする方向へ押せば横口２０との係合が外れ、雄部材１６と雌部材１７とを簡単に離反させることができる。なお、バックル器具も丸紐２の端部を相互に連結と離反できるものであれば、その形状等は図４に示すものに限定されないことは言うまでもない。
【００２７】
次に、このような構成とされた胴輪１において、その使用方法を説明する。
なお、ここでは、バックル器具１５（雄部材１６と雌部材１７）が設けられている第２のループ１３を胴輪部として使用し、第１のループ１０を首輪部として使用することにする。
まず図５に示すように、バックル器具１５は雄部材１６と雌部材１７とに離反させておく。
そして、第１のループ１０をペットの首にかけ、次に、第２のループ１３につき雄部材１６と雌部材１７とを二手に分かれさせつつ、ペットの胴まわりへまわし込んだ状態にして互いに連結させる。
【００２８】
そして、図６に示すように、紐通しパーツ３をペット寄りへ位置付け、片手で押さえつける等しながらリング１１を引き上げる方向へ丸紐２側を引き出す。
これにより第１のループ１０や第２のループ１３を所望の内径に絞り込むことができる。
そして、この紐通しパーツ３へ向けてストッパパーツ４を押し込むようにする。
これにてペットに対する胴輪１の装着は完了である。あとは、リング１１に対してリード（図示略）を接続（最初から接続しておいても勿論可能である）すればよい。
【００２９】
このようにしてペットへ胴輪１を装着した状態では、紐通しパーツ３に対し、丸紐２は紐止め孔５（５Ａ，５Ｂ）を通された部分及び紐溝７内に収められた部分で接触抵抗が大きく、移動しない。
また、ストッパパーツ４が通された部分でも、丸紐２が寄り添い状態で絞られているために動かない状態にある。
そのため、この紐通しパーツ３に対して丸紐２は位置ズレが防止される。
また一方で、丸紐２は、紐通孔６（６Ａ，６Ｂ）を通る部分では、紐通しパーツ３へストッパパーツ４を近づける方向への移動はストッパパーツ４自体が邪魔になるから阻止されるものの、紐通しパーツ３からストッパパーツ４を遠ざける方向へは、移動自在である。
【００３０】
すなわち、丸紐２に対してリング１１を引き上げる方向へ力を加えた場合、紐通しパーツ３（各紐通孔６）から丸紐２が引き出されることになるので、第１のループ１０（首輪部）や第２のループ１３（胴輪部）では、それらのループ径が絞られることになる。
その結果、ペットは首まわりのみならず胴まわりが丸紐２によって適度に締め付けられることになる。
言うまでもなく、この締め付けが丸紐２によって行われるため、細帯状のベルトや平紐の場合とは異なって、躾効果が高く、またそれでいてペットに傷等を負わせるおそれもない好適なチョーク効果が得られる。
【００３１】
図７は、本発明に係る紐通しパーツ３の第２実施形態を示している。
この第２実施形態の紐通しパーツ３では、紐通孔６や紐止め孔５の開口端が並んだ片側面（図７下方側の面）が、ペットの体型に沿わせるように凹面カーブになっている。この凹面カーブを設ける面は、上記したような紐溝７を設ける場合であれば、これとは逆向きの面に相当する。
このような凹面カーブを設けておくことで、紐通しパーツ３自体も、また丸紐２についても、ペットへのなじみがよくなる。
【００３２】
図８は、本発明に係る紐通しパーツ３の第３実施形態を示している。
この第３実施形態の紐通しパーツ３では、２個の紐止め孔５の相互間に、これらへ通される丸紐２の中途部を覆うトンネル状に横貫通させる紐カバー３０が設けられたものとなっている。
紐通孔６は、この紐カバー３０を中央に挟んだ両側に振り分けられている。
そのため、この紐カバー３０内で丸紐２が隠され、外観性が良好になる。
図９は、本発明に係る紐通しパーツ３の第４実施形態を示している。
【００３３】
この第４実施形態の紐通しパーツ３も、上記第３実施形態と同様に、２個の紐止め孔５の相互間に、これらへ通される丸紐２の中途部をトンネル状に横貫通させる紐カバー３０が設けられたものとなっている。
ただ、この第４実施形態では、紐通しパーツ３の全体が、ややひしゃげた饅頭のような形状を呈したものである。これによって紐カバー３０の存在を、全体形状の中へうまく溶け込ませたものとなっている点で、上記第３実施形態と相違している。また、このように紐通しパーツ３を平面視円形状とすることで、パーツ３がペットに対して回動しても違和感を生じさせない。
【００３４】
図１０は、本発明に係る紐通しパーツ３の第５実施形態を示している。
この第５実施形態も、紐通しパーツ３の全体が、ややひしゃげた饅頭のような形状を呈したものであるが、紐溝７に対して紐カバー３０ａが図示省略の係止爪などで着脱自在に取付られる構造となっている。
このように、紐カバー３０ａを取り外しできるようにしたのは、紐通しパーツ３に対するバックル器具１５の位置を調整するために、両紐止め孔５間で移動が規制されている丸紐２を移動させる際の操作を容易化するためである。
【００３５】
図１１は、本発明に係る紐通しパーツ３の第６実施形態を示している。
この第６実施形態も、第５実施形態と同様に丸紐２を移動させる際の操作を容易化するためである。第５実施形態と異なる点は、紐カバー３０ｂヒンジ部３１を介して、紐通しパーツ３に開閉自在に取り付けられている点である。なお、紐カバー３０ｂの内面側に突設された突起３２は、紐カバー３０ｂを閉じると、丸紐２の移動を規制する役割を有する。
図１２は、本発明に係る紐通しパーツ３の第７実施形態を示している。
この第７実施形態の特徴は、紐通孔６の片側面（図１２下方側の面）の開口端６’が、他の実施形態と同じ位置にあるのに対して、紐通孔６の他側面（図１２上方側の面）の開口端６”が、オフセットされた位置に開口している点である。
【００３６】
このようにオフセットして配置することで、両紐通孔６から上方（リング１１が取付られる側）の部分の丸紐２が、ペットの背骨の長手方向に対して斜めになるのが防止され、オフセットの方向によって、ペットの背骨の長手方向に対して平行方向とするか、直行方向にすることができ、外観体裁なども良くなる。
ところで、本発明は上記した各実施形態に限定されるものではなく、実施の形態に応じて適宜変更可能である。
例えば、紐通しパーツ３の外形、大きさ、材質、色、用途（胴輪用以外とする場合を含む）などは、適宜変更可能である。
【００３７】
【発明の効果】
以上の説明から明らかなように、本発明に係る紐通しパーツ及びこれを用いたペット用胴輪は、ペットに対する装着が容易で、躾効果が高く、ペットに傷等を負わせるおそれがなく、更に長さ調節も良好となるといった、種々の効果を得ることができる。
【図面の簡単な説明】
【図１】本発明に係るペット用胴輪を示した斜視図である。
【図２】図１の胴輪で用いられた本発明に係る紐通しパーツの第１実施形態を示した平面図である。
【図３】図２のＡ−Ａ線断面図である。
【図４】図１の胴輪で用いられたバックルを離反状態にして示した平面図である。
【図５】図１の胴輪をペットへ装着する様子を示した説明図である。
【図６】図５に続く手順を示した説明図である。
【図７】本発明に係る紐通しパーツの第２実施形態を示した斜視図である。
【図８】本発明に係る紐通しパーツの第３実施形態を示した斜視図である。
【図９】本発明に係る紐通しパーツの第４実施形態を示した斜視図である。
【図１０】本発明に係る紐通しパーツの第５実施形態を示した斜視図である。
【図１１】本発明に係る紐通しパーツの第６実施形態を示した斜視図である。
【図１２】本発明に係る紐通しパーツの第７実施形態を示した斜視図である。
【符号の説明】
１    胴輪
２    丸紐
３    紐通しパーツ
４    ストッパパーツ
５    紐止め孔
６    紐通孔
７    紐溝
３０    紐カバー
【図１】
2004254537.tif 000003
【図２】
2004254537.tif 000004
【図３】
2004254537.tif 000005
【図４】
2004254537.tif 000006
【図５】
2004254537.tif 000007
【図６】
2004254537.tif 000008
【図７】
2004254537.tif 000009
【図８】
2004254537.tif 000010
【図９】
2004254537.tif 000011
【図１０】
2004254537.tif 000012
【図１１】
2004254537.tif 000013
【図１２】
2004254537.tif 000014